(57)【特許請求の範囲】
【請求項１】
カメラ内に配設されるフレキシブル基板と、該フレキシブル基板の基板端子部に半田によって接合される導電性の端子板と、該端子板を支持するとともに前記フレキシブル基板が接着部材を介して接着される支持部材と、を備えたカメラにおいて、
前記支持部材と前記フレキシブル基板との間に、テーパを有する台座を介在させ、前記フレキシブル基板を前記支持部材に対して傾斜させることによって、前記端子板に前記基板端子部を接近させて半田付けすることを特徴とするカメラ内に配設されるフレキシブル基板の接続構造。
【請求項２】
前記台座は前記支持部材に一体的に形成されることを特徴とする請求項１記載のカメラ内に配設されるフレキシブル基板の接続構造。
【請求項３】
前記支持部材は、ベース板金に取り付けられるとともに、該ベース板金の両端がカメラ本体に支持されることを特徴とする請求項１又は２記載のフレキシブル基板の接続構造。
【発明の詳細な説明】
【０００１】
【発明の属する技術分野】
本発明はカメラ内に配設されるフレキシブル基板の接続構造に係り、特に両面テープによって固定されるフレキシブル基板の接続構造に関する。
【０００２】
【従来の技術】
特開平１１−８４２１５号公報には、ズーム位置を検出するズーム位置検出装置を備えたレンズ装置が記載されている。ズーム位置検出装置は、ズーム時に回転するコード板と、このコード板に摺動するように固定された摺動ブラシとから構成されており、コード板に形成された導体パターンを摺動ブラシで読み取ることによってズーム位置が検出される。
【０００３】
図６に示すように、摺動ブラシ１は、プラスチック製の支持部材２に埋め込まれており、この支持部材２を介してレンズ装置のベース板金３に固定されている。摺動ブラシ１の基端部１ａは、支持部材２から延出され、この基端部１ａにフレキシブル基板４の基板端子部４ａが半田５によって接合される。
【０００４】
摺動ブラシ１の基端部１ａとフレキシブル基板４基板端子部４ａとを半田付けする際、フレキシブル基板４は、両面テープ６によって支持部材２に仮固定される。
【０００５】
【発明が解決しようとする課題】
しかしながら、フレキシブル基板４を両面テープ６によって支持部材２に接着すると、摺動ブラシ１の基端部１ａと基板端子部４ａとの間に、両面テープ６の厚さｔに相当する隙間が形成されるため、この隙間に半田５が入り込むという不具合があった。このため、半田５が基板端子部４ａ側と基端部１ａ側とに分かれ、接合不良を発生するおそれがあった。
【０００６】
本発明はこのような事情に鑑みてなされたもので、カメラ内に配設されるフレキシブル基板の基板端子部を半田付けによって良好に接合させることのできるフレキシブル基板の接続構造を提供することを目的とする。
【０００７】
【課題を解決するための手段】
本発明は前記目的を達成するために、カメラ内に配設されるフレキシブル基板と、該フレキシブル基板の基板端子部に半田によって接合される導電性の端子板と、該端子板を支持するとともに前記フレキシブル基板が接着部材を介して接着される支持部材と、を備えたカメラにおいて、前記支持部材と前記フレキシブル基板との間に、テーパを有する台座を介在させ、前記フレキシブル基板を前記支持部材に対して傾斜させることによって、前記端子板に前記基板端子部を接近させて半田付けすることを特徴としている。
【０００８】
本発明によれば、台座を介在させてフレキシブル基板を傾斜させ、基板端子部を端子板に接近させるので、半田が基板端子部側と端子板側とに分かれず、接合不良を生じない。
【０００９】
【発明の実施の形態】
以下、添付図面に従って本発明に係るカメラ内に配設されるフレキシブル基板の接続構造の好ましい実施の形態について詳説する。
【００１０】
図１は、本発明に係るフレキシブル基板の接続構造が適用された電子スチルカメラ１０１の外観図であり、この電子スチルカメラ１０１のカメラ本体１０１Ａは、矩形の箱型に形成されている。本体１０１Ａの前面にはレンズ装置１０２、ファインダ窓１０３、ストロボ調光センサ１０４、セルフタイマーランプ１０５が所定の位置に配設されている。また、本体１０１Ａの上面にはポップアップ式のストロボ１０６やレリーズスイッチ１０７が配設され、本体１０１Ａの背面には、図示しないファインダ接眼部や液晶表示パネル、操作キーなどが所定の位置にそれぞれ配設されている。レンズ装置１０２は、沈胴／繰り出し式のものであり、使用時にのみレンズ筒１２及び移動筒１４（図２参照）が本体１０１Ａの前面から前方（被写体方向）に繰り出される。
【００１１】
図２、図３、図４はそれぞれレンズ装置１０２の正面図、左側面図、平面図である。これらの図に示すように、レンズ装置１０２は、レンズ筒１２、移動筒１４、固定筒１６、回転筒１８を備えている。
【００１２】
回転筒１８の外周には、ギヤ部１８ａが形成されており、このギヤ部１８ａにズーム用モータ２０の駆動力が伝達される。回転筒１８は、ズーム用モータ２０の駆動力が伝達されることで固定筒１６の外周に接しながら回転される。移動筒１４は、回転筒１８の回転に連動して回転しながら、固定筒１６に対して光軸の方向に移動する。レンズ筒１２は、移動筒１４が回転することで移動筒１４に対して光軸の方向に直進的に移動する。
【００１３】
レンズ装置１０２は、回転筒１８が『初期位置』から『中間位置』までの『収納回転域』で回転することで、沈胴位置の状態からテレ位置の状態に変更される。また、回転筒１８が『中間位置』から『終端位置』までの『変倍回転域』で回転することでテレ位置からワイド位置の状態に変更される。
【００１４】
ところで、レンズ装置１０２には、回転筒１８の外周面に取り付けられたコード板２４と、このコード板２４に摺動するように固定された摺動ブラシ２６、２６、…とからなるズーム位置検出装置が設けられている。コード板２４には、摺動ブラシ２６が摺動する軌道上に導体パターンが形成されており、この導体パターンを摺動ブラシ２６との接触によって読み取ることによって、ズーム位置が検出される。
【００１５】
図５に示すように、摺動ブラシ２６の先端部２６ａは、コード板２４側に円弧状に湾曲されており、この先端部２６ａがコード板２４に摺動される。また、摺動ブラシ２６は、プラスチック製の支持部材２８に埋め込まれ、この支持部材２８からブラシ端子部２６ｂが延出されている。支持部材２８は、図３及び図４に示すように、ねじ３０、３０によってベース板金３２のアーム部３２ａに固定されている。
【００１６】
ベース板金３２は、固定筒１６の背面に取り付けられ、このベース板金３２がレンズ装置１０２の前方に９０°に屈曲されてアーム部３２ａが形成されている。アーム部３２ａの先端には、受け部３２ｂが突出して形成されており、この受け部３２ｂが、固定筒１６の先端に形成されたフランジ１６ａに掛けられている。これにより、アーム部３２ａは、両端が支持される両持ち支持構造となるので、強度が飛躍的に向上し、アーム部３２ａの変形が防止される。すなわち、アーム部３２ａの先端に受け部３２ｂがない場合には、アーム部３２ａを基端部側だけで支持する片持ち支持構造となるので、ねじ３０、３０を締め込むためにアーム部３２ａに力を加えた際にアーム部３２ａが変形するおそれがある。これに対し、受け部３２ｂを設けて両持ち支持構造としたアーム部３２ａは、ねじ３０を締め込んだ際にも変形しない。
【００１７】
図５に示すように、支持部材２８には、台座２８ａが一体的に形成されている。台座２８ａは、断面が三角形状に形成されており、摺動ブラシ２６のブラシ端子部２６ｂ側に向けて傾斜したテーパ２８ｂを備えている。
【００１８】
台座２８ａのテーパ２８ｂには、フレキシブル基板３４が両面テープ３６を介して接着されている。フレキシブル基板３４は、突出された基板端子部３４ａを有しており、この基板端子部３４ａが摺動ブラシ２６のブラシ端子部２６ｂの位置に合うように取り付けられる。基板端子部３４ａとブラシ端子部２６ｂは半田付けされ、電気的に接続される。フレキシブル基板３４は図２に示すコネクタ部３５を介して、制御部（不図示）などに接続される。
【００１９】
次に上記の如く構成されたレンズ装置１０２の作用について説明する。
【００２０】
フレキシブル基板３４と支持部材２８との間には、台座２８ａが設けられているので、フレキシブル基板３４は、台座２８ａのテーパ２８ｂに沿って斜めに配置される。そして、フレキシブル基板３４の基板端子部３４ａは、摺動ブラシ２６のブラシ端子部２６ｂに付き当てられる。この状態で半田付けを行うと、基板端子部３４ａとブラシ端子部２６ｂとの間に隙間がないので、半田３８が割れずに良好に接合される。すなわち、基板端子部３４ａとブラシ端子部２６ｂとの間に両面テープ３６の厚さに相当する隙間がないので、基板端子部３４ａとブラシ端子部２６ｂとを良好に接合することができる。
【００２１】
また、フレキシブル基板３４をブラシ端子部２６ｂに対して傾斜させたので、厚い両面テープ３６を用いた場合にも、テーパ２８ｂの角度の大きい台座２８ａを使用することによって基板端子部３４ａをブラシ端子部２６ｂに付き当てさせることができ、半田付けを良好に行うことができる。すなわち、両面テープ３６の厚さによらず、基板端子部３４ａとブラシ端子部２６ｂとの半田付けを良好に行うことができる。
【００２２】
なお、上述した実施の形態では、断面が三画形状の台座２８ａを用いたが、これに限定するものではなく、フレキシブル基板３４を傾斜させる形状の台座２８ａであればよい。
【００２３】
また、上述した実施の形態は、台座２８ａと支持部材２８を一体的に形成したがこれに限定するものではなく、台座２８ａと支持部材２８とを別体で形成してもよい。この場合、両面テープ３６の厚さに応じて、テーパ２８ｂの角度の異なる台座２８ａを支持部材２８に着脱自在に取り付けるようにすると、両面テープ３６の種類を変更した場合にも、台座２８ａのみを交換することによって簡単に対応することができる。
【００２４】
また、上述した実施の形態は、摺動ブラシ２６のブラシ端子部２６ｂにフレキシブル基板３４の基板端子部３４ａを接合させる例であるが、これに限定するものではなく、フレキシブル基板３４を取り付ける部分であれば本発明を適用することができる。
【００２５】
【発明の効果】
以上説明したように本発明に係るカメラ内に配設されるフレキシブル基板の接続構造によれば、台座を介在させてフレキシブル基板を傾斜させたので、両面テープの厚さによらず、基板端子部と端子板とが接近し、半田付けを良好に行うことができる。
【図面の簡単な説明】
【図１】本発明に係るフレキシブル基板の接続構造が適用される電子スチルカメラを示す斜視図
【図２】図１に示したレンズ装置を示す正面図
【図３】図２に示したレンズ装置を示す左側面図
【図４】図２に示したレンズ装置を示す平面図
【図５】フレキシブル基板の接続構造を示す側面断面図
【図６】従来のフレキシブル基板の接続構造を示す側面断面図
【符号の説明】
１０１…電子スチルカメラ、１０２…レンズ装置、１２…レンズ筒、１４…移動筒、１６…固定筒、１８…回転筒、２４…コード板、２６…摺動ブラシ、２６ｂ…ブラシ端子部、２８…支持部材、２８ａ…台座、２８ｂ…テーパ、３４…フレキシブル基板、３４ａ…基板端子部、３６…両面テープ、３８…半田
【図１】
0004461313.tif 000002
【図２】
0004461313.tif 000003
【図３】
0004461313.tif 000004
【図４】
0004461313.tif 000005
【図５】
0004461313.tif 000006
【図６】
0004461313.tif 000007